(57)【要約】【課題】被写体を撮像手段で撮像する構成を有しながらも、シート積載性を損なうことなく、装置本体外面部に支持されたシート積載手段を用いて、撮像と画像形成を同時に実行可能な画像形成装置を提供する。【解決手段】画像形成装置１は、シートＰ１に画像を形成する画像形成部１０を有する装置本体１ａと、装置本体１ａの正面部１ｂに支持され、画像形成部１０に給送されるシートＰ１を積載可能なシート積載トレイ１１とを備えている。さらに、画像形成装置１は、シート積載トレイ１１の上方に設けられ、被写体Ｓを積載可能な被写体積載トレイ１２と、装置本体１ａにおける被写体積載トレイ１２の上方に支持され、被写体積載トレイ１２に積載された被写体Ｓを撮像可能な読取ユニット２３１とを備える。【選択図】図４
2016157993.tif 000002
【特許請求の範囲】
【請求項１】
シートに画像を形成する画像形成手段を有する装置本体と、
前記装置本体の外面部に支持され、前記画像形成手段に給送されるシートを積載可能なシート積載手段と、
前記シート積載手段の上方に設けられ、被写体を積載可能な被写体積載手段と、
前記装置本体における前記被写体積載手段の上方に支持され、前記被写体積載手段に積載された被写体を撮像可能な撮像手段と、を備える、
ことを特徴とする画像形成装置。
【請求項２】
前記被写体積載手段は、前記シート積載手段の上部において前記シート積載手段に対し間隔をあけて略平行に延出した状態で前記シート積載手段に支持される、
ことを特徴とする請求項１に記載の画像形成装置。
【請求項３】
前記シート積載手段は、前記装置本体から延出してシートが積載可能な第１積載位置と、前記装置本体に収納可能な第１収納位置と、に展開可能に構成され、
前記被写体積載手段は、前記装置本体から延出して被写体が積載可能な第２積載位置と、前記装置本体に収納可能な第２収納位置と、に展開可能に構成される、
ことを特徴とする請求項１又は２に記載の画像形成装置。
【請求項４】
前記装置本体における前記撮像手段の下方の前記外面部に対して開閉可能に支持される開閉カバーを備え、
前記シート積載手段は、前記開閉カバーに追従して回動するように前記装置本体に支持され、
前記被写体積載手段は、前記開閉カバーと一体的に回動するように前記開閉カバーに支持される、
ことを特徴とする請求項３に記載の画像形成装置。
【請求項５】
前記第１収納位置の前記シート積載手段と前記第２収納位置の前記被写体積載手段とは、前記開閉カバーの裏側と表側とで互いに隣り合う位置関係で前記開閉カバーと共に回動可能であり、
前記開閉カバーが前記装置本体から開放された状態において、前記シート積載手段を前記第１積載位置に展開させる前に、前記被写体積載手段を、前記開閉カバーの表側から回動させて前記シート積載手段の上部の支持位置に位置させてから前記第２積載位置に展開させる、
ことを特徴とする請求項４に記載の画像形成装置。
【請求項６】
前記シート積載手段は、前記被写体積載手段が前記第２積載位置に展開された後に、前記被写体積載手段と前記開閉カバーとの間で前記被写体積載手段と略平行に延出されて前記第１積載位置にされる、
ことを特徴とする請求項５に記載の画像形成装置。
【請求項７】
前記被写体積載手段は、前記支持位置に位置された時点で前記装置本体から延出する方向の中央部分を回動不能に支持された状態から、積層された複数の被写体積載プレートが順次回動されつつ展開されて前記第２積載位置にされる、
ことを特徴とする請求項５又は６に記載の画像形成装置。
【請求項８】
前記シート積載手段は、前記被写体積載手段が前記第２積載位置に展開された状態から、積層された複数のシート積載プレートが順次スライドして引き出されつつ展開されて前記第１積載位置にされる、
ことを特徴とする請求項６に記載の画像形成装置。
【請求項９】
前記装置本体内に配置され、前記画像形成手段に給送されるシートが収納されるシート収納部と、
前記装置本体の上部に設けられ、前記シート積載手段から給送されて画像形成されたシートと前記シート収納部から給送されて画像形成されたシートとを共通に積載する共通積載部と、
ことを特徴とする請求項１乃至８のいずれか１項に記載の画像形成装置。
【請求項１０】
前記シート積載手段に積載されたシートを前記画像形成手段に向けて給送する給送手段と、
前記給送手段により前記シート積載手段から前記画像形成手段にシートを給送して行う画像形成処理と、前記撮像手段により前記被写体積載手段上の被写体を撮像する撮像処理と、を同時進行的に実行可能な制御手段と、を備える、
ことを特徴とする請求項１乃至９のいずれか１項に記載の画像形成装置。
【請求項１１】
前記撮像手段の位置を検知する検知手段と、
前記撮像手段による撮像が可能な旨を表示する表示手段と、を備え、
前記制御手段は、前記検知手段による検知に基づき、前記撮像手段による撮像可能な旨を前記表示手段に表示させる、
ことを特徴とする請求項１０に記載の画像形成装置。
【請求項１２】
前記表示手段は、前記撮像手段による撮像可能な旨を発光して表示する発光部であり、
前記撮像手段が前記装置本体側に収納される撮像収納位置に移動した際に前記発光部が覆い隠され、前記撮像手段が前記被写体積載手段上の被写体を撮像可能な撮像可能位置に移動した際に前記発光部が露出されて前記撮像可能な旨を表示する、
ことを特徴とする請求項１１に記載の画像形成装置。
【請求項１３】
前記制御手段は、前記表示手段に前記撮像可能な旨を表示させる際に前記撮像手段による撮像が可能となるように制御する、
ことを特徴とする請求項１１又は１２に記載の画像形成装置。
【発明の詳細な説明】
【技術分野】
【０００１】
本発明は、複写機、ファクシミリ装置、プリンタ及びこれらの複合機等の画像形成装置に関する。
【背景技術】
【０００２】
従来、原稿読取部を備えた画像形成装置において、特に画像形成装置本体（以下、装置本体という）の小型化を目的として、原稿を上方から読み取る原稿読取手段（撮像手段）を備えたものが提案されている（特許文献１参照）。
【０００３】
この画像形成装置は、画像形成ユニットにより画像が形成されたシートを装置本体の上面に排出する上面排出ユニットと、この上面排出ユニットにより排出されるシートを受ける装置本体に対して開閉自在な上面排出トレイとを備えている。さらに、この画像形成装置は、上面排出トレイを開放することで原稿や本などの被写体を載置する被写体載置面が露呈される被写体載置台と、この被写体載置台に載置した被写体を撮像する上記原稿読取手段としての二次元センサとを備える。そして、開放された状態の上面排出トレイが二次元センサの支持体を兼用するように構成されている。これらにより、平坦な原稿だけでなく、立体的な被写体の撮像が可能になる。なお、二次元センサとは、二次元配列されたイメージセンサを示す。
【先行技術文献】
【特許文献】
【０００４】
【特許文献１】特開２００６−３１７８６３号公報
【発明の概要】
【発明が解決しようとする課題】
【０００５】
しかしながら、特許文献１に記載の画像形成装置では、以下のような問題を生じるおそれがある。即ち、被写体を撮像する（読み取る）二次元センサが支持された上面排出トレイを開放することで被写体載置面が露呈される構成のため、読み取り可能な被写体のサイズに対応して上面排出トレイが大型化するおそれがある。装置本体の上面に、被写体載置面となる平面が必要になるため、読み取り可能な被写体のサイズに応じて装置本体が大きくなるおそれがある。
【０００６】
また、被写体の読み取り時には、その都度上面排出トレイを開放することが必要になる。そのため、装置本体からシートが排出される際にジャム（紙詰まり）が発生しなかったとしても、上面排出トレイにシートが積載された状態で開放した場合には積載シートが一方向に寄ってしまい、シートの積載性が損なわれてしまう。
【０００７】
本発明は、被写体を撮像手段で撮像する構成を有しながらも、シート積載性を損なうことなく、装置本体外面部に支持されたシート積載手段を用いて、撮像と画像形成を同時に実行可能な画像形成装置を提供することを目的とする。
【課題を解決するための手段】
【０００８】
本発明は、画像形成装置において、シートに画像を形成する画像形成手段を有する装置本体と、前記装置本体の外面部に支持され、前記画像形成手段に給送されるシートを積載可能なシート積載手段と、前記シート積載手段の上方に設けられ、被写体を積載可能な被写体積載手段と、前記装置本体における前記被写体積載手段の上方に支持され、前記被写体積載手段に積載された被写体を撮像可能な撮像手段と、を備えることを特徴とする。
【発明の効果】
【０００９】
本発明によると、被写体を撮像手段で撮像する構成を有しながらも、シート積載性を損なうことなく、装置本体外面部に支持されたシート積載手段を用いて、撮像と画像形成とを同時に行うことが可能になる。
【図面の簡単な説明】
【００１０】
【図１】本発明の実施形態に係る画像形成装置の概略構成をシート積載トレイ及び被写体積載トレイの収納状態で示す斜視図。
【図２】本実施形態に係る画像形成装置の概略構成をシート積載トレイ及び被写体積載トレイの積載状態で示す斜視図。
【図３】本実施形態に係る読取ユニットによる撮像時の状態を示す斜視図。
【図４】本実施形態に係る画像形成装置の概略構成をシート積載トレイ及び被写体積載トレイの積載状態で示す断面図。
【図５】本実施形態に係る開閉カバーに被写体積載トレイが収納された状態を示す斜視図。
【図６】本実施形態に係る開閉カバーがシート積載トレイ及び被写体積載トレイと共に開放された状態を示す斜視図。
【図７】（ａ）は本実施形態に係る被写体積載トレイの被写体積載プレートを示す斜視図、（ｂ）は開閉カバーの全体構造を示す斜視図。
【図８】本実施形態に係る開閉カバーを開けた状態から被写体積載トレイを上方に回動展開する状態を示す斜視図。
【図９】図８における被写体積載トレイを更に回動展開した状態を示す斜視図。
【図１０】図９における被写体積載トレイを更に回動展開して第２積載位置にした状態を示す斜視図。
【図１１】本実施形態に係る画像形成装置の制御系を示すブロック図。
【発明を実施するための形態】
【００１１】
以下、本発明の実施形態に係る画像形成装置について、図面を参照しながら説明する。本実施形態に係る画像形成装置は、電子写真記録方式の複写機、プリンタ、複合機等から構成することが可能である。なお、図１は、本実施形態に係る画像形成装置１の概略構成をシート積載トレイ１１及び被写体積載トレイ１２の収納状態で示す斜視図、図２は、シート積載トレイ１１及び被写体積載トレイ１２の積載状態で示す斜視図である。また、図４は、画像形成装置１の概略構成をシート積載トレイ１１及び被写体積載トレイ１２の積載状態で示す断面図である。
【００１２】
［画像形成装置］
図１、図２及び図４に示すように、画像形成装置１は装置本体１ａを備えている。この装置本体１ａの正面部分（図４の右側部（外面部））には、シート積載トレイ１１が回動可能に支持されている。シート積載トレイ１１は、装置本体１ａから延出してシートが積載可能な第１積載位置（図４に示す位置）と、装置本体１ａに収納可能な第１収納位置（図１、図６参照）と、に展開可能に構成されている。なお、シート積載トレイ１１は、多種類の（サイズの異なる様々な）シートがユーザの用途に応じて（所望により）積載可能となるマルチトレイとして構成される。そして、シート積載トレイ１１は、画像形成部１０に給送されるシートＰ１を積載するシート積載手段を構成する。
【００１３】
シート積載トレイ１１の回動基部（支持機構６６）に対向する装置本体内には、シート積載トレイ１１に積載されたシートＰ１を画像形成部１０に給送する給送手段としての給送ローラ４０が配置されている。また、装置本体１ａの正面部（側部）１ｂ（図４の右側）におけるシート積載トレイ１１の上方には、撮像手段としての読取ユニット２３１が回動可能に支持されている。
【００１４】
装置本体１ａの上部中央には、印刷後に排出されたシートＰが積載される排出積載部５１が設けられている。この排出積載部５１には、排出延長トレイ５２が設けられている。排出延長トレイ５２は、排出されるシートＰの長さが長い場合にその積載性を向上させるように、排出積載部５１における先端近傍から図４中の右方に延出される構成を備える。
【００１５】
図１及び図２に示すように、装置本体１ａ上部の排出積載部５１に隣接する位置には、各種操作ボタン等を有する操作部６１が配置されている。この操作部６１は、画像形成装置１の電源の状態、ジョブの有無、エラー状態等を表示し、或いはネットワークの設定、ジョブの消去や各種の設定や操作等を行うことが可能に構成されている。
【００１６】
図４に示すように、画像形成装置１の装置本体１ａには、内部の略中央部に、画像形成手段としての画像形成部１０が配置され、底部に、シート収納部としての給紙カセット５６が配置されている。給紙カセット５６は、図１及び図４に示す外装面５８を装置本体１ａ側に押し込んだり装置本体１ａから引き出したりすることで装置本体１ａに対して装着及び引き出し可能となるように構成される。この給紙カセット５６には、画像形成部１０に給送されるシートＰ２が収納される。
【００１７】
給紙カセット５６のシート給送方向の下流には、給送ローラ５７が配置されている。給送ローラ４０，５７は、それぞれ略半月状に構成され、シート積載トレイ１１に積載されたシートＰ１もしくは給紙カセット５６に収納されたシートＰ２を画像形成部１０に給送するように、後述の制御部４６（図１１参照）によって各回転が制御される。なお、給送ローラ４０，５７の形状は、円弧状に限定されることはなく、外周が円形状のローラとして構成することも可能である。
【００１８】
画像形成部１０は、像担持体としての感光ドラム２１、不図示の現像器、感光ドラム２１の表面を露光して感光ドラム上に静電潜像を形成するレーザスキャナ２０１、不図示の帯電ローラ、及び、シートＰにトナー像を転写する転写部２２とを有している。さらに、画像形成部１０は、転写されたトナー像を加熱及び加圧によりシートＰ１，Ｐ２に定着させる定着部３１等を有している。転写部２２は、感光ドラム２１と転写ローラ２２ａとから構成され、感光ドラム２１と転写ローラ２２ａとの圧接によって転写ニップ部を形成している。定着部３１は、加熱源を有する定着ベルト３１ａと定着ベルト３１ａに圧接される加圧ローラ３１ｂとから構成されている。
【００１９】
シート搬送路３９における定着部３１の下流には、画像形成部１０で画像形成されて定着部３１で定着されたシートＰ１，Ｐ２を搬送する搬送ローラ対４５が配置されている。さらに、搬送ローラ対４５の下流には、共通積載部としての排出積載部５１にシートＰ１，Ｐ２を排出する排出ローラ対（排出手段）４１が配置されている。
【００２０】
排出積載部５１は、シート積載トレイ１１から給送ローラ４０により給送されて画像形成部１０で画像形成されたシートＰ１と、給紙カセット５６から給送されて画像形成部１０で画像形成されたシートＰ２とを、共通に積載するように構成されている。この構成により、シート積載トレイ１１から送られて画像形成されたシートＰ１を積載する積載部と、給紙カセット５６から送られて画像形成されたシートＰ２を積載する積載部とを個別に用意する必要がないので、装置構成を簡略化することができる。
【００２１】
以上の構成を備える画像形成装置１では、画像形成時に、制御部４６（図１１）の制御に応じて、シート積載トレイ１１から給送ローラ４０により給送されたシートＰ１が、レジストレーションローラ対４３を介して画像形成部１０に送り込まれる。また、給紙カセット５６から給送ローラ５７により給送されたシートＰ２が、搬送ローラ対４４及びレジストレーションローラ対４３を介して画像形成部１０に送り込まれる。
【００２２】
レジストレーションローラ対４３は、送られてきたシートＰ１，Ｐ２を、ニップ部で一旦受け止めてその斜行を補正し、感光ドラム２１上のトナー画像に合わせた所定のタイミングで転写部２２に送り込む。そして、この転写部２２において、感光ドラム２１上に形成されたトナー画像がシートＰ１，Ｐ２に転写される。
【００２３】
その後、転写部２２でトナー画像を転写されたシートＰ１，Ｐ２は、定着部３１に搬送され、定着ベルト３１ａと加圧ローラ３１ｂ間の定着ニップ部を通過する際に加熱及び加圧されて、トナー像を定着される。さらに、シートＰ１，Ｐ２は、搬送ローラ対４５を経て、排出ローラ対４１を介して排出積載部５１に排出される。
【００２４】
以上のように、本実施形態の画像形成装置１は、シート積載トレイ１１からシートＰ１を給送する給送ローラ４０と、給紙カセット５６からシートＰ２を給送する給送ローラ５７という、二つの給送手段を備えている。
【００２５】
給紙カセット５６には、シートサイズや種類として、通常最も良く利用されるシートＰ２が収納される。また、シート積載トレイ１１は、通常は画像形成装置１の前面（図４中の右側部）に折り畳まれた状態で収納されている。そして、シート積載トレイ１１は、給紙カセット５６に収納されていないサイズや種類のシートＰ１に記録を行いたい場合に、図４に示すように引き出された状態でシートＰ１が積載される。
【００２６】
また、原稿や本などの被写体Ｓから情報を読み取りたい場合には、シート積載トレイ１１のシート積載プレート１１ａを図４に示す位置に引き出す。そして、シート積載プレート１１ｃ，１１ｄを第１積載位置に展開する前に、被写体専用の被写体積載トレイ１２の被写体積載プレート１２ａ，１２ｂ，１２ｄを回動展開して第２積載位置とし、これに被写体Ｓを積載する。被写体積載プレート１２ａの装置本体１ａ側の位置には、第２積載位置に展開された状態で傾斜する被写体積載トレイ１２から装置本体１ａ側に被写体Ｓが移動しないように規制する被写体規制凸部１２ｃが設けられている。
【００２７】
被写体積載トレイ１２は、シート積載トレイ１１の上方に設けられ、被写体Ｓを積載可能な被写体積載手段を構成する。この被写体積載トレイ１２は、装置本体１ａから延出して被写体Ｓが積載可能な第２積載位置（図４に示す位置）と、装置本体１ａに収納可能な第２収納位置（図１、図６参照）と、に展開可能に構成されている。被写体積載トレイ１２は、開閉カバー７０と一体的に回動可能となるように開閉カバー７０に支持されている。後述するが、折り畳まれた被写体積載トレイ１２を一体的に支持した開閉カバー７０は、装置本体１ａの正面部（側部）１ｂに形成された開口部３２を閉塞可能となるように、正面部（側部）１ｂに対して開閉可能に支持されている。
【００２８】
被写体積載トレイ１２は、読取ユニット２３１とシート積載トレイ１１との間に設けられ、読取ユニット２３１による撮像可能な位置に被写体Ｓを積載するように構成される。被写体積載トレイ１２は、シート積載トレイ１１の上部においてシート積載トレイ１１に対し間隔をあけて略平行に延出した状態でシート積載トレイ１１の中央部に支持される。被写体積載トレイ１２の上方にて装置本体１ａに支持された読取ユニット２３１は、被写体積載トレイ１２に積載された被写体Ｓを撮像可能に構成されている。
【００２９】
図４に示す第２積載位置に展開された被写体積載トレイ１２に、被写体Ｓが積載される。そして、読取ユニット２３１が、装置本体１ａ前面における図４上下方向中央部から右上方に傾くように延出された被写体積載トレイ１２に対向する状態で、被写体Ｓの全域を読み取り可能に被写体積載トレイ１２を上方から臨む状態に起立される。読取ユニット２３１は、この起立時において撮像時の光軸Ｏが被写体積載トレイ１２上の被写体Ｓに対して垂直となるように位置決めされている。起立状態での読取ユニット２３１の傾斜角度の調整により、光軸Ｏが被写体Ｓのほぼ中央に位置するようにされるため、被写体Ｓの読取範囲Ｈの全域（矢印で示す範囲）に亘ってピントが合うようにされる。
【００３０】
次に、図２〜図４を参照して、被写体Ｓの読み取りを行う読取ユニット（撮像手段）２３１の詳細について説明する。なお、図３は、本実施形態に係る読取ユニット２３１による撮像時の状態を示す斜視図である。
【００３１】
図４に示すように、装置本体１ａにおける読取ユニット２３１の下方の正面部（側部）１ｂには、支持機構６５を介して、開閉カバー７０が装置本体１ａに対し開閉可能となるように支持されている。また、閉じ状態の開閉カバー７０の内側に位置可能に且つ装置本体１ａに対し開閉可能となるように、支持機構６６を介して、シート積載トレイ１１のシート積載プレート１１ａが支持されている。
【００３２】
図３に示すように、被写体Ｓを撮像可能な読取ユニット２３１は、装置本体１ａの正面上部の中央部分におけるシート積載トレイ１１の上方おいて両側から突出するように一対の支持凸部２３９が形成されている。読取ユニット２３１は、読取部２３１ｃと、読取部２３１ｃを支持する第１腕部２３１ａと、第１腕部２３１ａに連結軸２３７で連結され第１腕部２３１ａに対して相対回動可能な第２腕部２３１ｂとを有している。
【００３３】
下側の第２腕部２３１ｂはその下部に、軸方向（図３の左右方向）に突出する軸部２３８が設けられている。第２腕部２３１ｂは、軸部２３８の両端部が一対の支持凸部２３９にそれぞれ回動可能に支持され、装置本体１ａに対して回動可能に支持されている。移動手段としての第１及び第２腕部２３１ａ，２３１ｂは、シート積載トレイ１１に積載された被写体Ｓの全体を撮像可能となる位置に読取部２３１ｃを移動調整可能に構成される。なお、図３における２４０は、装置本体１ａに開閉カバー７０を閉じた状態（図１参照）から開閉カバー７０を開放する際にユーザが指等を引っ掛けやすくするための凹部を示している。この凹部２４０は、図１、図２及び図４には便宜上、図示を省略している。
【００３４】
図３は、読取ユニット２３１を装置本体１ａから上方に引き出して、読取モード位置（撮像可能位置）にセットした状態を示している。この状態において、軸部２３８と連結軸２３７とは、軽ロック機構（不図示）により固定される。この軽ロック機構（不図示）は、ラチェットのように軸部２３８と連結軸２３７との回転を抑制するように構成されており、ある一定の回転モーメントが作用するまでは回転せずに読取モード位置に保持される。これにより、読取ユニット２３１は、撮像可能位置では図３の位置よりも排出積載部５１側に回動することのない起立状態に維持され、撮像収納位置では図１の折り畳まれた状態に維持される。
【００３５】
読取部２３１ｃは、図３の左右方向に延びる円筒状に構成され、上部に摘み操作部２３１ｄが突出形成されている。この読取部２３１ｃの内部には、二次元配列されたイメージセンサから構成されて被写体Ｓの情報を読み取る二次元センサ５０が、読取部２３１ｃ円筒の長手方向に沿った状態に固定されている。読取部２３１ｃのシート積載トレイ１１に対向可能な面には、その中央部にレンズ２３２が取り付けられ、このレンズ２３２の左右にはそれぞれ、照明部としてのＬＥＤライト（光源）２３３が取り付けられている。
【００３６】
レンズ２３２は、光軸Ｏ（図４参照）を成し、被写体Ｓの像を二次元センサ５０に結像させるように構成されている。二次元センサ５０は、結像された被写体Ｓの像を電子情報に変換する、いわゆる光電変換を行い、その信号を制御部４６（図１１参照）に出力する。読取部２３１ｃにおけるレンズ２３２の両側に一体的に設けられたＬＥＤライト２３３は、制御部４６の制御により発光して、シート積載トレイ１１に積載された被写体Ｓを照明する。
【００３７】
以上の読取ユニット２３１は、装置本体側に収納される撮像収納位置（図１参照）と、第２積載位置の被写体積載トレイ１２に対向して被写体積載トレイ１２上（被写体積載手段上）の被写体Ｓを撮像可能な撮像可能位置とに移動可能となるように支持される。図３のように、装置本体１ａの正面上部における手前側には、装置本体側に収納される撮像収納位置に折り畳まれた読取ユニット２３１に覆い隠される位置に、表示手段（発光部）としての読取表示ランプ２３５と、読取動作開始ボタン２３６とが配置される。
【００３８】
読取表示ランプ２３５は、読取ユニット２３１が第２積載位置の被写体積載トレイ１２に積載された被写体Ｓを撮像可能な撮像可能位置（読取モード位置）に移動した際に露出され、読取ユニット２３１による撮像が可能であることを表示するように発光する。読取表示ランプ２３５は、制御部４６（図１１）の制御により発光して撮像可能である旨を表示し、読取ユニット２３１は、読取表示ランプ２３５が表示されている間において撮像が可能となるように制御部４６により制御される。つまり、読取表示ランプ２３５は、読取ユニット２３１が撮像可能位置（図２、図３）にあって読取動作可能である時に点灯し、読取動作ができない撮像収納位置（図１）にあるときには消灯し、ユーザに状態を知らせる役割を果たすように制御される。
【００３９】
読取ユニット２３１が読取モード位置にあるかどうかは、検知手段としての読取モード位置検知センサ４９（図１１）で読取ユニット２３１の位置を検知することに基づき、ＣＰＵ，ＲＡＭ，ＲＯＭを有する制御部４６（図１１）が判断する。読取モード位置検知センサ４９は、第２腕部２３１ｂの軸部２３８の回動に伴ってオン、オフするスイッチ（不図示）やフォト・インタラプタ（不図示）等から構成することが可能である。読取モード位置検知センサ４９がオンしていれば読取ユニット２３１は撮像可能位置になっていることであり、読取モード位置検知センサ４９がオフしていれば読取ユニット２３１は撮像収納位置になっていることである。制御部４６は、読取表示ランプ２３５が点灯しているときに読取動作開始ボタン２３６が押されると、読取ユニット２３１の読取動作を開始するように制御する。
【００４０】
図４に示すように、シート積載トレイ１１を積載位置に回動させ、読取ユニット２３１を撮像可能位置に起立させた状態では、図３に示す読取表示ランプ２３５を目視できると共に、読取動作開始ボタン２３６を操作することができる。しかし、図１に示すように、読取ユニット２３１を装置本体１ａ側に閉じて撮像収納位置にすると、読取ユニット２３１が読取表示ランプ２３５及び読取動作開始ボタン２３６をその上方から覆って隠してしまう。
【００４１】
このため、読取表示ランプ２３５の目視も読取動作開始ボタン２３６の操作もできない状態になる。そのため、読取ユニット２３１が収納された図１の状態では、誤って読取動作を行うおそれがなく、読取ユニット２３１が読取モード位置にあって初めて読取動作が可能となる。従って、読取ユニット２３１の位置が読取モード位置からずれた状態で読取動作を行って読取範囲がずれたりピントが合わなかったりするおそれがなくなる。
【００４２】
ここで、図１に示す状態の画像形成装置１は、シート積載トレイ１１、被写体積載トレイ１２、排出延長トレイ５２、及び読取ユニット２３１閉じて装置本体１ａに収納している。この画像形成装置１は、通常時には図１のようにシート積載トレイ１１、被写体積載トレイ１２、排出延長トレイ５２及び読取ユニット２３１を装置本体１ａに閉じた状態で、コンパクトなプリンタとして使用することが可能である。
【００４３】
画像形成部１０（図４）に給紙カセット５６からシートＰ２を給送する場合には、給送ローラ５７を回転駆動する。一方、給紙カセット５６に収納されているシートＰ２とは異なるサイズや種類のシートＰ１を使用したい場合には、シート積載トレイ１１を装置本体１ａから開いて第１積載位置に位置させて、給送ローラ４０を回転駆動する。
【００４４】
また、排出延長トレイ５２を図２〜図４のように開く場合は、シートＰの長さが所定の長さ以上で、シートＰの排出積載部５１への積載性を向上させたい場合である。これより短いシートを使用する通常時には、排出延長トレイ５２を閉じた状態で使用することが可能である。
【００４５】
通常時のプリンタとしてだけではなく、原稿等の被写体Ｓの読み取りを行う場合には、図２及び図４に示すように、シート積載トレイ１１及び被写体積載トレイ１２をそれぞれ第１積載位置、第２積載位置に開いた状態で行われる。
【００４６】
次に、本実施形態における読取動作を行う際に展開される、原稿積載専用の被写体積載トレイ１２について、図５〜図１０を参照して詳細に説明する。なお、図５〜図１０は本実施形態に係る画像形成装置１の概略構成の展開手順を示す斜視図である。図５は、開閉カバー７０に被写体積載トレイ１２が収納された状態を示し、図６は、開閉カバー７０にシート積載トレイ１１と被写体積載トレイ１２が収納された状態を示す。図７（ａ）は、被写体積載プレート１２ａ，１２ｂ，１２ｃを示し、図７（ｂ）は、開閉カバー７０の構造を示す。図８は、開閉カバー７０を開けて被写体積載トレイ１２を回動展開する際の状態を示し、図９は、開閉カバー７０に被写体積載トレイ１２を回動展開する際の別の状態を示す。図１０は、開閉カバー７０に被写体積載トレイ１２を回動展開する際の更に別の状態を示す。
【００４７】
画像形成装置は、本実施形態で使用しているものに限らず、内部の無駄な空間を削除して小型化されており、原稿台を小さく折り畳んで装置本体内部に配置したとしても、増加した容量分は装置本体外方にはみ出して装置本体のサイズ増に繋がってしまう。そこで本実施形態では、シート積載トレイ１１及び被写体積載トレイ１２が、装置本体１ａの外装面（正面部１ｂ）に配置されている（図４参照）。このように、装置本体１ａの外装面に、面積は大きくとも最も薄くして被写体積載トレイ１２を設置することで、装置本体１ａのサイズ増が最小となるように留めている。これにより、画像形成装置１の大型化を回避することができる。
【００４８】
図５は、被写体積載トレイ１２における被写体積載プレート１２ａ，１２ｂ，１２ｄが開閉カバー７０に収納された状態を示している。本実施形態では、開閉カバー７０の厚みを数ミリ増したのみで、分割された被写体積載プレート１２ａ，１２ｂ，１２ｄを開閉カバー７０内に収納している。被写体積載プレート１２ａは、下方両端部に、装置本体１ａの外装面に対し垂直方向に突出するアーム１３ａ，１３ａを有し、アーム１３ａ，１３ａの先端近傍に、円筒の軸部１３ｃ，１３ｃが外側に向けて突出するように固定されている（図７（ａ），（ｂ））。被写体積載プレート１２ａ，１２ｂ，１２ｄは、図７に示すアーム１３ａ，１３ａと係合凸部１２ｇ，１２ｇとによって、ユーザの操作力で解除することが可能な程度の力で開閉カバー７０に固定される。
【００４９】
係合凸部１２ｇ，１２ｇは、図５における被写体積載プレート１２ｂの上部両端に設けられている。開閉カバー７０の外装面には、被写体積載プレート１２ａ，１２ｂ，１２ｄを収納するように矩形状に形成された凹部７５（図７（ｂ））が設けられている。開閉カバー７０に被写体積載プレート１２ａ，１２ｂ，１２ｄが収納された状態で、開閉カバー７０における凹部７５の上部両端に設けられた凹部７０ａ，７０ａ（図７（ｂ））に係合凸部１２ｇ，１２ｇが係合することができる。これにより、折り畳まれた被写体積載トレイ１２は、開閉カバー７０に対して図５のように収納される。
【００５０】
図６では、シート積載トレイ１１を展開してシートＰ１を積載するため、或いは、読取ユニット２３１を展開して被写体Ｓを積載するために、開閉カバー７０が所定の位置まで開かれる。図６に示すように、矩形状の開閉カバー７０には、その長手方向の両端部のやや中央寄りに、収容部７１ａ，７１ｂが立設した状態で固定されている。
【００５１】
即ち、図７（ｂ）に示すように、矩形状の開閉カバー７０の中央部分には凹部７５が形成されている。この凹部７５の両端部には、開閉カバー７０の外装面（表面）から裏面へと繋がるように形成された溝部７２ａ，７２ｂを有する上記収容部７１ａ，７１ｂが設けられている。開閉カバー７０における溝部７２ａ，７２ｂに設けられた収容部７１ａ，７１ｂは、図７（ａ）に示すように、被写体積載プレート１２ａのアーム１３ａ，１３ａを覆うように箱形状に形成されている。収容部７１ａ，７１ｂの上方端面と開閉カバー７０の裏面と平行な面の一部は、壁部分が無く解放されている。
【００５２】
収容部７１ａの外側面には、収容部７１ａ内部に連通するように貫通形成されたＬ字形の長穴部７３（図５、図６参照）が設けられており、対向側に位置している収容部７１ｂにも、同様の形状を有する長穴部７３が設けられている。長穴部７３は、開閉カバー７０の短手方向に沿って固定された収容部７１ａの長手方向に沿う長尺ガイド部７３ａと、長尺ガイド部７３ａから直角に折曲された折曲部７３ｂと、折曲部７３ｂから反対方向に延びる短尺ガイド部７３ｃとから構成される。
【００５３】
即ち、図７（ａ）に示す被写体積載プレート１２ａのアーム１３ａ，１３ａに設けられた軸部１３ｃ，１３ｃは、まず、アーム１３ａ，１３ａが収容部７１ａ，７１ｂの各溝部７２ａ，７２ｂに挿入される。その後、各軸部１３ｃ，１３ｃは、収容部７１ａ，７１ｂのＬ字形の各長尺ガイド部７３ａ，７３ａに進入される。ここで、被写体積載プレート１２ａの全長寸法と、開閉カバー７０の収容部７１ａ，７１ｂの内壁間の寸法とは略同等にされており、被写体積載プレート１２ａを撓ませる形で組み込まれている。これにより、組み込み後は、被写体積載プレート１２ａのアーム１３ａ，１３ａの各軸部１３ｃ，１３ｃが開閉カバー７０側の長穴部７３から外れることが規制される。
【００５４】
また、図７（ｂ）に示すように、被写体積載プレート１２ａの長手方向における軸部１３ｃ，１３ｃの各下部には、被写体積載プレート１２ａに対して被写体積載プレート１２ｂを回動可能に支持する軸部１４，１４が設けられている。
【００５５】
図６に示すように、開閉カバー７０には、両端部の収容部７１ａ，７１ｂの下部に、途中部分から下方に屈曲する形状のフック７６，７６が互いに同位相にされて固定されている。これらフック７６，７６の先端部は、支持機構６５（図４参照）に含まれる回動軸７４を介して、シート積載プレート１１ｃ，１１ｄを連結したシート積載プレート１１ａが装置本体１ａに対して開閉可能に支持されている。これにより、装置本体１ａの開口部３２に対して開閉可能に支持された開閉カバー７０には、展開されたシート積載トレイ１１と平行になるように被写体積載トレイ１２が開閉カバー７０との間に被写体積載トレイ１２を挟んだ状態で位置される。
【００５６】
また、シート積載トレイ１１は、シート積載プレート１１ａの両端下部に、上方に屈曲する形状の係合凸部１６，１６が互いに同位相にされて固定されている。これら係合凸部１６，１６の先端部は、支持機構６６（図４参照）を介して、装置本体１ａの開口部３２に対して開閉可能に支持されている。開閉カバー７０における収容部７１ａ，７１ｂの各背面部には、略円弧状のガイド長穴部１７ａをそれぞれ有するガイド部１７，１７が固定されている。
【００５７】
これらガイド部１７，１７のガイド長穴部１７ａ，１７ａにはそれぞれ、シート積載プレート１１ａの両端部に固定された被ガイド軸１８，１８が摺動可能に挿入されている。これにより、図５の状態から開閉カバー７０が引き出すように回動されると、折り畳まれた状態のシート積載トレイ１１が被ガイド軸１８，１８をガイド部１７，１７を介して牽引されながら開閉カバー７０に追随し、図６の矢印Ｂ方向に回動して開放される。なお、シート積載プレート１１ａのシート積載面における幅方向両端部には、積載されるシートの幅方向両端部の位置を規制するサイド規制部材１９，１９が幅方向に移動調整可能となるように設けられている。
【００５８】
［制御系］
次に、図１１を参照して、本画像形成装置１における読取動作の制御系について説明する。なお、図１１は、本画像形成装置１の読取動作の制御系を示すブロック図である。
【００５９】
図１１に示すように、装置本体１ａに設けられた制御部（制御手段）４６には、原稿検知センサ４７、読取ユニット２３１、操作部６１、読取モード位置検知センサ４９、読取動作開始ボタン２３６からの各信号が入力される。また、制御部４６は、読取ユニット２３１、ＵＳＢメモリ４８、画像形成部１０、給送ローラ４０、給送ローラ５７、読取表示ランプ２３５に各信号を出力する。読取動作開始ボタン２３６は、制御部４６の制御により、読取表示ランプ２３５が発光しているときだけ読取動作の開始を指示できるように機能する。
【００６０】
制御部４６は、被写体積載トレイ１２に設けられた原稿検知センサ４７からの信号が伝達されると、読取モード位置検知センサ４９のオン、オフ状態に基づき、読取ユニット２３１による読取動作（撮像動作）が可能か否かを判断する。また、制御部４６は、読取モード位置検知センサ４９のオン、オフ状態に基づき、オン状態の場合には読取表示ランプ２３５に対して点灯の指令を出力し、オフ状態の場合には読取表示ランプ２３５に対して非点灯の指令を出力する。
【００６１】
制御部４６は、読取動作開始ボタン２３６からの信号が伝達されると、読取ユニット２３１に動作指令を出力し、操作部６１からの入力の状況（設定）に応じて、読取ユニット２３１からの情報をＵＳＢメモリ４８に入力する指令を出力する。或いは、制御部４６は、読取ユニット２３１からの情報を画像形成部１０に入力させる指令を出力すると共に、画像形成部１０に対して動作指令を出力する。制御部４６は、給送ローラ４０の作動、及び給送ローラ５７の作動をそれぞれ制御する。そして制御部４６は、給送ローラ４０によりシート積載トレイ１１から画像形成部１０にシートＰ１を給送して行う画像形成処理と、読取ユニット２３１により被写体積載トレイ１２上の被写体Ｓを撮像する撮像処理とを同時進行的に実行可能に構成される。
【００６２】
以上のように本実施形態の制御系は、装置本体１ａに収納可能に配置された読取ユニット２３１が装置本体１ａから引き出されて、第２積載位置の被写体積載トレイ１２に積載された被写体Ｓを読み取ることが可能になる読取モード位置を有する。そして、読取ユニット２３１を読取モード位置にしたときに、読取可能であることを表示する読取表示ランプ２３５と、読取動作の開始を命令する読取動作開始ボタン２３６とを有している。
【００６３】
そして、読取表示ランプ２３５は、読取ユニット２３１を読取可能な読取モード位置に引き出した時に発光するように構成されている。読取動作開始ボタン２３６は、読取ユニット２３１を読取モード位置に引き出したときに現れ、読取ユニット２３１を装置本体１ａに収納したときに隠れるように構成されている。そして、制御部４６は、読取表示ランプ２３５が発光しているときだけ読取動作開始ボタン２３６が機能するように制御する。
【００６４】
本実施形態では、画像形成装置の大型化や、画像形成後に排出積載部５１まで搬送されたシートの積載性が損なわれることを踏まえ、引き出した状態で被写体Ｓを積載する被写体積載トレイ１２と、シート供給用のシート積載トレイ１１とが別々に構成される。このため、被写体Ｓの読み取りかシートＰ１への画像形成かを選択する必要がなく、制御部４６の制御により両方を同時進行的に実行することができる。従って、読取ユニット２３１で読み取った被写体Ｓの情報に基づくシートＰ１に対する画像形成を、読取ユニット２３１による読み取りと同時進行的に実行することができる。
【００６５】
次に、図５及び図７（ａ），（ｂ）に示す被写体積載プレート１２ａ，１２ｂ，１２ｄ等を装置本体１ａの正面部（外装面）１ｂから展開する際の軌跡等について説明する。
【００６６】
即ち、前述した構成において、開閉カバー７０を図６に示す位置に開いた時点から、次の操作で行われる。開閉カバー７０と共に回動されるシート積載トレイ１１が、開閉カバー７０の回動動作に追従して図６の矢印Ｂ方向に回動させられ、シート積載トレイ１１が上方を向き且つ被写体積載トレイ１２が下方を向いた状態で位置することになる。
【００６７】
この状態から、操作者は、前側を向いた被写体規制凸部１２ｃを掴んで矢印Ｃ方向に引き上げるようにする。これにより、被写体積載プレート１２ａ，１２ｂ，１２ｄが折り畳まれた状態のまま軸部１３ｃ，１３ｃを長尺ガイド部７３ａにガイドされながら、図８の矢印Ｅの方向に移動させられる。即ち、図８のように被写体積載プレート１２ａ，１２ｂ，１２ｄを途中まで引き出した状態で、被写体積載プレート１２ａのアーム１３ａ，１３ａの軸部１３ｃ，１３ｃが、開閉カバー７０の長尺ガイド部７３ａ，７３ａに沿って矢印Ｅ方向に移動させられる。そして、長尺ガイド部７３ａ，７３ａの端部に近づくと、被写体積載プレート１２ａ，１２ｂ，１２ｄは、装置本体内部に向けて矢印Ｄ方向への回動が可能となる。
【００６８】
軸部１３ｃ，１３ｃが長尺ガイド部７３ａ，７３ａから折曲部７３ｂ，７３ｂの下部に当接した時点で、被写体積載トレイ１２の移動は一旦停止する。この状態から、軸部１３ｃ，１３ｃを折曲部７３ｂ，７３ｂに沿って上方（図９矢印Ｆ方向）に移動させつつ被写体積載トレイ１２を回動させる。そして、軸部１３ｃ，１３ｃが短尺ガイド部７３ｃ，７３ｃに当接した時点から、被写体積載トレイ１２を更に矢印Ｄ方向（図８）に回動させる。これにより、被写体積載トレイ１２は、図９のように幅方向両端の軸部１３ｃ，１３ｃがそれぞれ収容部７１ａ，７１ｂの短尺ガイド部７３ｃに位置する。これと共に、アーム１３ａ，１３ａが、収容部７１ａ，７１ｂにそれぞれ設けられている係合端部７２ｃ，７２ｃに係止された状態で、図９に示す起立状態となる。この状態では、被写体積載トレイ１２は、下方に延びるアーム１３ａ，１３ａを支点として、開閉カバー７０に支持された状態で折り畳まれたシート積載トレイ１１の上方に所定の間隔をあけた状態で支持される。
【００６９】
つまり、図８の状態から更に被写体積載プレート１２ａ，１２ｂ，１２ｄを回動させると共に、被写体積載プレート１２ａのアーム１３ａ，１３ａの軸部１３ｃ，１３ｃを矢印Ｆ方向に向かうように回動操作することで、図９に示す状態となる。矢印Ｆ方向の端部には、前回長尺ガイド部７３ａ，７３ａを進んできた矢印Ｅ方向（図８）と逆の方向に形成された短尺ガイド部７３ｃ，７３ｃがあり、その位置までアーム１３ａ，１３ａの軸部１３ｃ，１３ｃが回動する。その後、被写体積載プレート１２ａ，１２ｂ，１２ｄは、折り畳まれた状態のまま、シート積載プレート１１ａ，１１ｃ，１１ｄに対して平行な位置に移動させられる（図１０）。
【００７０】
以上の状態から、操作者は、撮像しようとする被写体Ｓのサイズに合うように、被写体積載プレート１２ａに対して被写体積載プレート１２ｂを、軸部１４，１４を支点として矢印Ｊ方向（図１０）に１８０°まで回動させ、被写体Ｓの積載面を広げる。さらに、被写体Ｓのサイズに応じて積載面を広げようとする場合は、操作者が被写体積載プレート１２ｄを被写体積載プレート１２ｂに対して回動軸２０を支点として１８０°まで回動させ、被写体Ｓの積載面を更に広げる。なお、被写体積載プレート１２ｂには、前端の両端寄りの位置に、回動軸２０を支点として回動する被写体積載プレート１２ｄ，１２ｄを収納可能な収納凹部１２ｅ，１２ｆが形成されている。
【００７１】
上述のように被写体積載トレイ１２を展開した後、操作者は、シート積載プレート１１ｃ，１１ｄを、図１０の状態から矢印Ｃの方向に順次に引き出す。これにより、シート積載プレート１１ａからシート積載プレート１１ｃ，１１ｄが引き出されて展開され、シートＰ１を積載する平面が現れる。
【００７２】
以上の回動展開後に、被写体積載トレイ１２に被写体Ｓを積載して読取ユニット２３１による情報の読み取りを行う。また、給送ローラ４０による画像形成を行うためにシート積載トレイ１１に小サイズのシートＰ１を積載する場合は、以下のようにすることが可能である。即ち、被写体積載トレイ１２の一部である被写体積載プレート１２ｄ，１２ｄを被写体積載プレート１２ｂ側に折り畳んだり、この被写体積載プレート１２ｂを更に被写体積載プレート１２ａに折り畳んだりして、シートＰ１の積載を行うことが可能である。
【００７３】
以上の本実施形態では、第１収納位置のシート積載トレイ１１と第２収納位置の被写体積載トレイ１２とは、開閉カバー７０の裏側と表側とで互いに隣り合う位置関係で開閉カバー７０と共に回動可能に構成される。開閉カバー７０が装置本体１ａから開いた状態で、シート積載トレイ１１を第１積載位置に展開させる前に、被写体積載トレイ１２を、開閉カバー７０の表側から回動させてシート積載トレイ１１の上部に位置させてから第２積載位置に展開させることができる。これにより、シート積載トレイ１１及び被写体積載トレイ１２の収納が極めて容易になり、収納状態からの被写体積載トレイ１２の展開操作も、その後のシート積載トレイ１１の展開操作も、極めて容易に行うことができる。
【００７４】
被写体積載トレイ１２は、支持位置に位置された時点で装置本体１ａから延出する方向の中央部分を回動不能に支持された図９の状態から、積層された複数の被写体積載プレート１２ａ，１２ｂ，１２ｄが順次回動されながら展開されて第２積載位置にされる。このため、第２積載位置にて積載される被写体Ｓのサイズに合わせて、被写体積載プレート１２ｂ，１２ｄのうちの必要なものを回転展開させて、積載面積を適宜変更することができる。
【００７５】
さらに、シート積載トレイ１１は、被写体積載トレイ１２が第２積載位置に展開された後、被写体積載トレイ１２と開閉カバー７０との間で被写体積載トレイ１２と略平行に延出されて第１積載位置（図４）に展開される。シート積載トレイ１１は、被写体積載トレイ１２が第２積載位置（図４）に展開された状態から、積層された複数のシート積載プレート１１ａ，１１ｃ，１１ｄが順次スライドして引き出されつつ展開されて第１積載位置にされる。このため、回動展開して第２積載位置に位置された被写体積載トレイ１２に影響されることなく、シート積載プレート１１ａ，１１ｃ，１１ｄを円滑に順次スライド移動させて、第１積載位置に容易に展開させることができる。
【００７６】
本実施形態によると、給紙カセット５６からのシート給送と、シート積載トレイ１１からのシート給送とを同時進行的に行うことにより、多彩なシートの給送が実現可能になる。即ち、読取ユニット２３１で撮像する被写体Ｓを積載する被写体積載トレイ１２を、画像形成部１０へのシート供給用のシート積載トレイ１１の上方にて略平行となるように設けたので、一時であれ原稿読み取りか画像形成かの選択になってしまうことがない。このように、被写体Ｓを読取ユニット２３１で撮像する構成を有しながらも、シート積載性を損なうことがない。そして、装置本体１ａの正面部分（図４の右側部（外面部））に支持されたシート積載トレイ１１を用いて所望のサイズのシートを使用しつつ、読取ユニット２３１による撮像と画像形成部１０による画像形成とを同時に行うことができる。なお、装置本体１ａの外面部には、装置本体１ａの正面部、側面部もしくは背面部など、外部に露出している全ての外面部分が含まれる。
【００７７】
なお、本実施形態では、図９の状態から被写体積載プレート１２ｂ，１２ｄを被写体積載プレート１２ａに対してそれぞれ回動させて第２積載位置に展開したが、この構成に限定されるものではない。つまり、シート積載トレイ１１の場合と同様に、図９の状態から、被写体積載プレート１２ｂ，１２ｄを被写体積載プレート１２ａから順次引き出すように移動させて第２積載位置とする構成も可能である。また、図１０の被写体積載プレート１２ｂにおける被写体積載プレート１２ｄ，１２ｄの中央部から、被写体積載プレート１２ｄ，１２ｄより長いサイズの被写体積載プレートを展開可能に設け、被写体積載トレイ１２全体の積載面積を広げることも可能である。
【００７８】
以上説明した実施形態は、電子写真記録方式の画像形成装置１を用いて説明したが、本発明はこれに限定されない。例えば、ノズルからインク液を吐出させることでシートに画像を形成するインクジェット記録方式の画像形成装置にも用いることが可能である。その場合にも前述と同様の効果を得ることが可能である。
【符号の説明】
【００７９】
１…画像形成装置／１ａ…装置本体／１ｂ…正面部（装置本体の外面部）／１０…画像形成部（画像形成手段）／１１…シート積載トレイ（シート積載手段）／１１ａ，１１ｃ，１１ｄ…シート積載プレート／１２…被写体積載トレイ（被写体積載手段）／１２ａ，１２ｂ，１２ｄ…被写体積載プレート／４０…給送ローラ（給送手段）／４６…制御部（制御手段）／４９…読取モード位置検知センサ（検知手段）／５１…排出積載部（共通積載部）／５６…給紙カセット（シート収納部）／７０…開閉カバー／２３１…読取ユニット（撮像手段）／２３５…読取表示ランプ（表示手段，発光部）／Ｐ１，Ｐ２…シート／Ｓ…被写体
【図１】
2016157993.tif 000003
【図２】
2016157993.tif 000004
【図３】
2016157993.tif 000005
【図４】
2016157993.tif 000006
【図５】
2016157993.tif 000007
【図６】
2016157993.tif 000008
【図７】
2016157993.tif 000009
【図８】
2016157993.tif 000010
【図９】
2016157993.tif 000011
【図１０】
2016157993.tif 000012
【図１１】
2016157993.tif 000013